(57)【要約】【課題】家電製品等の廃棄物の処理は、特定家庭用機器再商品化法（家電リサイクル法）を遵守する必要があるが、実行されていない。【解決手段】  製造業者、小売業者等が前記義務を遵守し、家電リサイクル法を適切且つ確実に運用することのできる廃棄物収集運搬管理システムであり、排出者から排出された廃棄物を収集し、収集した廃棄物を回収店舗に保管し、保管した廃棄物を搬送車に荷積みして指定引取場所まで運搬し、運搬した廃棄物を指定引取場所に降ろす収集運搬管理システムにおいて、複数枚の伝票を複写式にセットしたリサイクル券と、必要データの入力、リサイクル券の管理コードの読み取りといった操作が可能な携帯端末機器を使用して、廃棄物収集管理、廃棄物運搬時の回収管理、同運搬時の荷降ろし管理、同運搬後の終了管理を行うようにした。【選択図】図１
2011123846.tif 000002
【特許請求の範囲】
【請求項１】
排出者から排出された廃棄物を収集し、収集した廃棄物を回収店舗に保管し、保管した廃棄物を搬送車に荷積みして指定引取場所まで運搬し、運搬した廃棄物を指定引取場所に降ろす収集運搬管理システムにおいて、
複数枚の伝票を複写式にセットしたリサイクル券と、必要データの入力、リサイクル券の管理コードの読み取りといった操作が可能な携帯端末機器を使用して、次の廃棄物収集管理、廃棄物運搬時の回収管理、同運搬時の荷降ろし管理、同運搬後の終了管理を行うことを特徴とする廃棄物収集運搬管理システムであり、
廃棄物収集管理は
排出者から排出された廃棄物収集時に前記リサイクル券のチェック項目欄に廃棄物品目名、メーカー名といった管理事項をチェックし、チェック後のリサイクル券の排出者控票を排出者に渡し、同リサイクル券の現品伝票を廃棄物に貼付し、貼付済み廃棄物を小売業者管轄下の回収店舗に回収し、同リサイクル券中の残り伝票を回収店舗に預け、
廃棄物運搬時の回収管理は
回収店舗は廃棄物運搬業務開始前に、前記預かり伝票中の小売業者控兼受領書を保管して残りの伝票を運搬作業者に渡し、運搬作業者は回収店舗に保管されている廃棄物を運搬車に積込む前に回収登録、現品照合、余剰照合、受領書発行を行い、
前記回収登録は、作業者が回収店舗の店舗番号、手持ち伝票にチェックされている品目コード、メーカー名といった必要事項を携帯端末機に入力し、手持ち伝票の管理コードを携帯端末機で読み取り、入力されたデータ、読み取られたデータを携帯端末機に登録して行い、
前記現品照合は、廃棄物に貼付されている現品貼付票の管理コードを携帯端末機で読み取ってその管理コードと先に読み取った手持ち伝票の管理コードを照合して行い、両管理コードが一致したときはその現品は運搬車に積み込み可能、読み込んだ現品管理コードに対応する手持ち伝票の管理コードが無い場合、品目不一致の場合はその現品を積み込み不可として、不一致廃棄物の積み込みを防止し、
前記余剰照合は、照合一致の現品を運搬車に積み込んでから、手持ち伝票の管理コードを携帯端末機で読み込んで、その管理コードと先に読み込んだ現品の管理コードを照合して行い、両管理コードが一致したときはそのまま運搬可能であるが、先に読み込まれた現品管理コードよりも手持ち伝票の読み込み管理コードが多いときは現品無しで回収不可として、廃棄物の積み忘れを防止し、
前記受領書発行は運搬者が行い、前記作業で携帯端末機へ入力したデータ、携帯端末機で読み取って登録した管理コード等の読み込みデータを携帯プリンタでプリントアウトしてリサイクル品受領証とリサイクル品控を発行し、前記現品照合時に現品余剰のときは「現品なし」の表示が、前記余剰照合時に現品不足となったときは「伝票余り」の表示が前記リサイクル品受領証とリサイクル品控に記入されており、そのリサイクル品受領証に運搬者が押印をし、
廃棄物運搬時の荷降し管理は
運搬者は、指定引取場所に到着後、運搬してきた廃棄物を荷降ろしする前に、手持ちリサイクル券を指定引取場所に渡し、各廃棄物とリサイクル券番号を照合し、照合済みの現品を運搬車から降ろし、先に指定引取場所に渡したリサイクル券に指定引取場所から押印をもらい、そのリサイクル券を受け取った運搬作業者は携帯端末機に指定引取場所コードを入力し、リサイクル券の管理コードを読み取って荷降ろし登録し、携帯端末機に店舗番号、回収日、荷降日を入力後、携帯端末機のデータをプリントアウトして処理完了受領証と処理完了控を発行し、処理完了受領証に指定引取場所の受領印を押してもらって処理完了控と共に持ち帰り、その処理完了受領証と手持ちのリサイクル券を回収店舗に渡し、処理完了控に回収店舗の受領印をもらって持ち帰る、ことを特徴とする廃棄物収集運搬管理システム。
【請求項２】
請求項１記載の廃棄物収集運搬管理システムにおいて、廃棄物運搬時の荷降し管理終了後に、荷降し管理終了までに携帯端末機に登録されたデータをコンピュータに送信して、その後はコンピュータ管理できるようにする終了管理を行うことを特徴とする廃棄物収集運搬管理システム。
【請求項３】
請求項１又は請求項２記載の廃棄物収集運搬管理システムにおいて、現品照合時に余剰現品が出たときはその現品を運搬車に荷積みせずに不一致理由を記載して保管店舗に返却し、余剰照合時にリサイクル券が余剰となったときは余剰券に不一致理由を記載してその余剰券を保管店舗に返却することを特徴とする廃棄物収集運搬管理システム。
【請求項４】
請求項１乃至請求項３のいずれかに記載の廃棄物収集運搬管理システムにおいて、携帯端末機が前記管理に必要なデータを入力でき、リサイクル券の管理コードを読み取り可能であり、それらデータを登録でき、登録データをプリンタに送信可能なプログラムが搭載されたものであることを特徴とする廃棄物収集運搬管理システム。
【発明の詳細な説明】
【技術分野】
【０００１】
本発明は廃棄物収集運搬管理システムに関し、特に、家電廃棄品の収集、荷積み、指定引取場所への運搬、荷降しまでを一貫管理できるようにした管理システムである。
【背景技術】
【０００２】
一般家庭、企業等から排出される家電製品等の廃棄物の多くは、埋め立て処理、破砕処理され、一部廃棄物中の部品がリサイクルされているのが現状である。近年は廃棄物が多くなっていることから、埋め立て地が逼迫している。このため廃棄物の減量、有用な部品、素材の有効活用のためのリサイクルが重要視され、製造業者、小売業者等による家電製品等の廃棄物の収集、リサイクルの適正且つ円滑な運用による資源の有効活用が望まれている。このような社会的背景の下に、特定家庭用機器再商品化法（家電リサイクル法）が制定され、製造業者、輸入業者には自らが製造した対象機器の廃棄物（特定家庭用機器廃棄物：廃家電）の引き取り、引き取った廃棄物の再商品化、部品・材料のリサイクル等が義務化され、小売業者には自らが過去に小売販売した対象機器の廃棄物の引き取りを求められたときは引き取ることが義務化されている。また、家電リサイクル法により、小売業者は、排出者から特定家庭用機器廃棄物を引き取るときは、特定家庭用機器廃棄物管理票（通称：家電リサイクル券）に主務命令で定める事項を記載し、主務命令で定めるところにより、当該排出者に当該管理票の写しを交付しなければならないとされ、他にも、管理票に関する各種取り扱い事項が規定されている。また、管理票を使用した管理をコンピュータシステムで行うことが要請されている。
【発明の概要】
【発明が解決しようとする課題】
【０００３】
製造業者、小売業者等は前記義務を誠実に履行すべく努力しているが、全ての製造業者、小売業者等において、全ての対象機器について、必ずしも適法な運用が完全に行われているとはいえない。家電サイクル法に基づいて廃棄者から引き取った廃家電を適切に管理しないとか、その一部を製造業者等へ引き渡さないといった事態がある。引き取った廃家電を小売業者が製造業者等へ引き渡すこと、リサイクル券を適切に管理することは、家電リサイクル法が定める小売業者の重要な役割である。
【課題を解決するための手段】
【０００４】
本発明は、製造業者、小売業者等が前記義務を遵守し、家電リサイクル法を適切且つ確実に運用することのできる廃棄物収集運搬管理システムを提供するものである。
【０００５】
本件出願の廃棄物収集運搬管理システムは、請求項１記載のように、排出者から排出された廃棄物を収集し、収集した廃棄物を回収店舗に保管し、保管した廃棄物を搬送車に荷積みして指定引取場所まで運搬し、運搬した廃棄物を指定引取場所に降ろす収集運搬管理システムにおいて、複数枚の伝票を複写式にセットしたリサイクル券と、必要データの入力、リサイクル券の管理コードの読み取りといった操作が可能な携帯端末機器を使用して、次の廃棄物収集管理、廃棄物運搬時の回収管理、同運搬時の荷降ろし管理、同運搬後の終了管理を行うことを特徴とする廃棄物収集運搬管理システムであり、廃棄物収集管理は排出者から排出された廃棄物収集時に前記リサイクル券のチェック項目欄に廃棄物品目名、メーカー名といった管理事項をチェックし、チェック後のリサイクル券の排出者控票を排出者に渡し、同リサイクル券の現品伝票を廃棄物に貼付し、貼付済み廃棄物を小売業者管轄下の回収店舗に回収し、同リサイクル券中の残り伝票を回収店舗に預け、廃棄物運搬時の回収管理は回収店舗は廃棄物運搬業務開始前に、前記預かり伝票中の小売業者控兼受領書を保管して残りの伝票を運搬作業者に渡し、運搬作業者は回収店舗に保管されている廃棄物を運搬車に積込む前に回収登録、現品照合、余剰照合、受領書発行を行い、前記回収登録は、作業者が回収店舗の店舗番号、手持ち伝票にチェックされている品目コード、メーカー名といった必要事項を携帯端末機に入力し、手持ち伝票の管理コードを携帯端末機で読み取り、入力されたデータ、読み取られたデータを携帯端末機に登録して行い、前記現品照合は、廃棄物に貼付されている現品貼付票の管理コードを携帯端末機で読み取ってその管理コードと先に読み取った手持ち伝票の管理コードを照合して行い、両管理コードが一致したときはその現品は運搬車に積み込み可能、読み込んだ現品管理コードに対応する手持ち伝票の管理コードが無い場合、品目不一致の場合は、その現品の積み込み不可として、不一致廃棄物の積み込みを防止し、前記余剰照合は、照合一致の現品を運搬車に積み込んでから、手持ち伝票の管理コードを携帯端末機で読み込んで、その管理コードと先に読み込んだ現品の管理コードを照合して行い、両管理コードが一致したときはそのまま運搬可能であるが、先に読み込まれた現品管理コードよりも手持ち伝票の読み込み管理コードが多いときは現品無しで回収不可として、廃棄物の積み忘れを防止し、前記受領書発行は運搬者が行い、前記作業で携帯端末機へ入力したデータ、携帯端末機で読み取って登録した管理コード等の読み込みデータを携帯プリンタでプリントアウトしてリサイクル品受領証とリサイクル品控を発行し、前記現品照合時に現品余剰のときは「現品なし」の表示が、前記余剰照合時に現品不足となったときは「伝票余り」の表示が前記リサイクル品受領証とリサイクル品控に記入されており、そのリサイクル品受領証に運搬者が押印をし、廃棄物運搬時の荷降し管理は運搬者が、指定引取場所に到着後、運搬してきた廃棄物を荷降ろしする前に、手持ちリサイクル券を指定引取場所に渡し、各廃棄物とリサイクル券番号を照合し、照合済みの現品を運搬車から降ろし、先に指定引取場所に渡したリサイクル券に指定引取場所から押印をもらい、そのリサイクル券を受け取った運搬作業者は携帯端末機に指定引取場所コードを入力し、リサイクル券の管理コードを読み取って荷降ろし登録し、携帯端末機に店舗番号、回収日、荷降日を入力後、携帯端末機のデータをプリントアウトして処理完了受領証と処理完了控を発行し、処理完了受領証に指定引取場所の受領印を押してもらって処理完了控と共に持ち帰り、その処理完了受領証と手持ちのリサイクル券を回収店舗に渡し、処理完了控に回収店舗の受領印をもらって持ち帰るシステムである。
【０００６】
本件出願の廃棄物収集運搬管理システムは、請求項２記載のように、前記廃棄物収集運搬管理システムにおいて、廃棄物運搬時の荷降し管理終了後に、荷降し管理終了までに携帯端末機に登録されたデータをコンピュータに送信して、その後はコンピュータ管理できるようにする終了管理を行うシステムである。
【０００７】
本件出願の廃棄物収集運搬管理システムは、請求項３記載のように、前記廃棄物収集運搬管理システムにおいて、現品照合時に余剰現品が出たときはその現品を運搬車に荷積みせずに不一致理由を記載して保管店舗に返却し、余剰照合時にリサイクル券が余剰となったときは余剰券に不一致理由を記載してその余剰券を保管店舗に返却するシステムである。
【０００８】
本件出願の廃棄物収集運搬管理システムは、請求項４記載のように、前記廃棄物収集運搬管理システムにおいて、携帯端末機として前記管理に必要なデータを入力でき、リサイクル券の管理コードを読み取り可能であり、それらデータを登録でき、登録データをプリンタに送信可能なプログラムが搭載されたものを使用するシステムである。
【発明の効果】
【０００９】
本件出願の発明は次のような効果がある。
１．廃棄物の収集から、荷積み、運搬、荷降ろしまでを、複写式のリサイクル券と端末携帯機で一連管理するので、廃棄物の処理ミスがなく、廃棄物を漏れなく確実に、指定引取場所に運搬して、確実な管理が可能になる。
２．複写式のリサイクル券の書式が、リサイクル法の指定書式に適合しているので、リサイクル法の合致した適法な廃棄物処理ができる。
３．廃棄物の種類を問わず、廃棄物排出者が一般家庭、企業、団体等のいずれであっても、運送者が誰であっても、指定引取場所が何処であっても、管理可能である。
４．携帯端末機のプログラムがリサイクル券を使用した処理方式に合わせて作成されているので、携帯端末機をリサイクル券の方式に合わせて手軽に簡便に操作でき、作業性が良く、操作ミスも発生しにくい。
５．現品照合時に余剰現品があったときは、その現品は荷積みせずに、その現品に不一致理由を記載して保管店舗に返却し、余剰照合時に現品不足（リサイクル券余剰）のときは余剰券に不一致理由を記載してその余剰券を保管店舗に返却するので、現品が二重管理され、リサイクル券と不一致の廃棄物が運搬されることが無い。
６．指定引取場所に荷降ろしするときも、廃棄物が一台ずつチェックされるので、リサイクル券と不一致の廃棄物が荷降ろしされることが無い。
７．携帯端末機が前記管理に必要なデータを入力でき、リサイクル券の管理コードを読み取り可能であり、それらデータを登録でき、登録データをプリンタに送信可能なプログラムが搭載されたものであるため、携帯端末機を操作することにより、廃棄物管理が容易に可能となる。
８．携帯端末機のデータをセンターに伝送できるので、事務処理を迅速、確実に行うことができ、集計作業労力が軽減され、作業能率が向上する。
９．荷降し管理終了後に、荷降し管理終了までに携帯端末機に登録されたデータをコンピュータに送信して、その後はコンピュータ管理できる終了管理を行うので、その後の官吏が容易且つ確実になる。
１０．プリンタが携帯端末機と別体又は一体のであり、携帯端末機がプリンタにデータ伝送可能であるため、プリントを現場で容易に行うこができ、リアルタイムな管理ができる。
【図面の簡単な説明】
【００１０】
【図１】本発明のシステムで使用するリサイクル券の一例を示すものであり、（ａ）は表面側、（ｂ）は裏面側から見た斜視図である。
【図２】本発明のシステムで使用する携帯端末機の一例を示す平面説明図。
【図３】本発明のシステムで使用するリサイクル券の１番伝票の説明図。
【図４】本発明のシステムで使用するリサイクル券の２番伝票の説明図。
【図５】本発明のシステムで使用するリサイクル券の３番伝票の説明図。
【図６】本発明のシステムで使用するリサイクル券の４番伝票の説明図。
【図７】本発明のシステムで使用するリサイクル券の５番伝票の説明図。
【図８】（ａ）は本発明のシステムにおいてプリントアウトされるリサイクル品受領証の一例を示す説明図、（ｂ）はリサイクル品控えの一例を示す説明図。
【図９】（ａ）は本発明のシステムにおいてプリントアウトされる処理完了受領証の一例を示す説明図、（ｂ）は処理完了控えの一例を示す説明図。
【図１０】（ａ）は本発明のシステムにおいてプリントアウトされる返却受領証の一例を示す説明図、（ｂ）は返却控えの一例を示す説明図。
【発明を実施するための形態】
【００１１】
（実施形態１）
本発明の廃棄物収集運搬管理システムの実施形態の一例を以下に説明する。この実施形態は排出者から排出された廃家電を収集して回収店舗（小売店又は小売店管轄下の業者）に一時保管し、運搬業者（小売店又は小売店から委託を受けて受託した業者）が回収店舗から廃家電を回収して指定引取場所まで運搬し、指定引取場所で荷降ろしするまでの業務及び管理を、図１（ａ）、（ｂ）に示す複写式の家電リサイクル券Ａと、図２に示す携帯端末機Ｂを使用して行う場合である。
【００１２】
前記家電リサイクル券Ａは５枚の伝票が複写式に綴じられており、一番上の伝票（１番券）１は小売業者控兼受領書（図３）、二番目の伝票（２番券）２は小売業者回付票（図４）、三番目の伝票（３番券）３は指定引取場所控（図５）、四番目の伝票（４番券）４は排出者控（図６）、五枚目の伝票（５番券）５は現品貼付票（図７）である。これら伝票は一枚ずつ切り離し可能であり、現品貼付票５は裏面に粘着剤が塗布され、その裏面に剥離紙６が貼付されており、剥離紙６を剥離して廃家電に貼付可能としてある。剥離紙６は横方向中央部で左右に分離されており、左右の剥離紙６の夫々を左右に開いて剥離できるようにしてある。
【００１３】
１番券から５番券には図３〜図７に示すように、バーコード（管理コード）７が表示されている。管理コード７のデータはエアコン用、テレビ用といったように廃家電の品目ごとに区別されており、５枚の伝票のいずれの管理コード７も同じデータである。この管理コード７は携帯端末機Ｂ（図２）でスキャンして読み取り可能であり、５枚のうち廃家電に貼付ける現品貼付票５の管理コード７と、現品に貼付せずに手元にある手持ち伝票の管理コード７を読み取って、両管理コード７の一致、不一致から廃気物の過不足を照合（チェック）できるようにしてある。
【００１４】
リサイクル券Ａの１番券から５番券のいずれにも、家電リサイクル法の主務省令で定める事項、例えば、排出者名記入欄８、小売業者名記入欄９、収集運搬業者名記入欄１０、廃家電の品目欄１１、製造業者名記入欄１２等が表示されている。品目欄１１には例えばエアコン、テレビ、冷蔵庫、冷凍庫、洗濯機等の品目名及び夫々のコード番号が表示され、夫々の品目名の前に四角枠のチェック欄１３が設けられている。製造業者名記入欄１２には○○電気、△△電機といったメーカー名及びそれらのコード番号等が表示され、夫々のメーカー名の前に四角枠のチェック欄１４も設けられている。メーカー名が多くて１〜５番券の表面の製造業者名記入欄１２に記載しきれない場合は、前記現品貼付票５の裏面に貼付されている前記剥離紙６の裏面に図１（ｂ）に示すように、記載できないメーカー名とコード番号が表記されており、これらメーカー名のコード番号を携帯端末機に入力することがきるようにしてある。
【００１５】
現品貼付票５（図７）の右上部分には室内機用管理コード７ａが表示され、左端部分にはエアコン室内機貼付用伝票５ｂが設けられ、それに室内機用管理コード７ｂが表示されている。室内機用管理コード７ａは現品貼付票５を室内機に貼付することにより室内機に貼付でき、室外機用管理コード７ｂはエアコン室内機貼付用伝票５ｂを現品貼付票５から剥離して室外機に貼付できるようにしてある。
【００１６】
エアコン以外のテレビ、洗濯機といった家電品は室外機がないため、家電品用のリサイクル券のうち１〜５番券はエアコン用リサイクル券の１〜４番券と同じ構成である。
【００１７】
前記携帯端末機Ｂ（図２）としては、既存のバーコードリーダに本発明の管理システム用プログラムが組み込まれたものでも、本発明の管理システム専用品として開発されたものでも使用可能である。図２の携帯端末機Ｂは液晶とか有機ＥＬ等の表示画面が設けられ、他に、電源キー（ＰＷ）、ＥＮＴキー（ＥＮＴ）、Ｑ１キー（Ｑ１）、Ｑ２キー（Ｑ２）、トリガキー（ＳＣＡＮ）、ＬＥＤ釦（ＬＥＤ）等々のキーや釦が設けられている。それらの用途は表１に記載の通りである。
【００１８】
携帯端末機Ｂにはデータ保存メモリ、ＣＰＵ等が内蔵され、管理コード読み取り機能、データ送信機能等の各種機能を備えている。携帯端末機Ｂの管理コード読み取り機能は、リサイクル券Ａに印刷されている管理データ７がバーコードであるためバーコードを読み取り可能なものにしてあるが、管理コード７がＱＲコードの場合はＱＲコードを読み取り可能なものにする。データ送信機能は携帯端末機Ｂに入力されたデータ、読み込まれたデータといった、携帯端末機Ｂに登録されている各種データを携帯式の印刷機（プリンタ）とかコンピュータ等の親機に赤外線方式で送信できるものである。送信方式は他の無線方式、或いはネットワーク等を通じて送信できるものであってもよい。プリンタは携帯式であってもよく、運搬車に搭載されている設置型であってもよく、携帯端末機Ｂから受信したデータをプリントできるものであればよい。図２の携帯端末機Ｂの用途、用法を表１に示す。携帯端末機のキー、釦の数や配列、機能等は図２以外であってもよい。
【００１９】
【表１】
2011123846.tif 000003
【００２０】
一般家庭、企業、団体等の排出者から排出される廃家電は、排出者が小売店（その指定場所を含む）に持ち込む場合もあり、収集者（小売店又は小売店管轄下の収集業者）が前記排出者に出向いて収集することもあるが、本発明の管理システムはいずれの場合にも対応できる。本発明の廃家電の収集、収集した廃家電の回収店舗への保管、回収店舗からトラックへの荷積み、トラックでの指定引取場所までの運搬、トラックからの荷降ろし、荷降ろし後の終了業務等の各種作業及び管理は次のようにして行われる。
【００２１】
（廃家電の収集）
廃家電の収集に当たっては前記リサイクル券Ａを使用する。リサイクル券Ａの１番券１（図１）の排出者名記入欄８には回収店舗名、その所在地、連絡先電話番号が、小売業者名記入欄９には家電品を販売した小売業者名、その所在地、連絡先電話番号が、収集運搬業者名記入欄１０には廃家電を運搬する業者名、その所在地、連絡先電話番号が夫々記入してある。これら必要事項が記入されたリサイクル券は回収店舗に保管されており廃家電収集時に収集担当者に手渡される。収集担当者は収集する廃家電の品目名、メーカー名をリサイクル券１のチェック項目欄１３、１４にチェックする。１番券１にチェックするとその下の４枚の券にも同様のチェックが複写される。
【００２２】
収集担当者はチェック後のリサイクル券Ａの現品貼付票（５番券：図７）を廃家電に貼付し、排出者控票（４番券：図６）を排出者に渡してから、その廃家電を収集して回収店舗に保管する。このとき、収集担当者はチェック済みリサイクル券の残り伝票（１番券〜３番券）を回収店舗に渡す。廃家電がエアコンの場合は、現品貼付票（５番券：図７）を廃家電の室内機に貼付し、現品貼付票（５番券）５のエアコン室内機貼付用伝票５ｂを室外機に貼付する。
【００２３】
（廃家電の回収登録、現品照合、余剰照合、積込み時の受領書発行）
回収店舗に保管されている前記回収品を運搬車に積込んで（荷積みして）指定引取場所まで運搬するときは回収登録、現品照合、余剰照合、積込み時の受領書発行、荷降ろし登録、荷降ろし時の受領書発行を行う。
【００２４】
（回収登録）
回収店舗に保管されている廃家電は、小売業者又は小売業者から委託されて受託した運搬業者が回収してトラックに荷積みし、指定引取場所まで運搬して指定引取場所に荷降ろす。この場合、回収店舗は保管しているリサイクル券の残り伝票中の小売業者控兼受領書（１番券：図３）を保管し、残りのリサイクル券（２番券と３番券：図４、図５）を運搬作業者に渡す。回収店舗で廃家電をグル−プ分けして保管してある場合は、運搬作業者は受取ったリサイクル券をそのグル−プ分けに合わせてグループ分けし、更に、品目別に分けする。次に、回収店舗に保管されている廃家電をトラックに積込む前に回収登録、現品照合を行い、トラックに積込みしてから余剰照合を行う。
【００２５】
前記回収登録は運搬作業者が携帯端末機Ｂを操作してユーザーコード（携帯端末機を使用する人のコード）、回収作業日、手持ちリサイクル券（２、３番券）２、３にチェックされている品目コード、回収店舗の店舗番号を入力し、管理コード７を携帯端末機Ｂで読み取り、入力されたデータ及び読み取られたデータを携帯端末機に登録（回収登録）して行う。
【００２６】
前記現品照合は、運搬作業者が廃家電に貼付されている現品貼付票５の管理コード７を携帯端末機Ｂで読み取り、そのデータを、先に読み取った手持ち伝票の管理コード７と照合して行う。両管理コード７が一致したときはその廃家電は運搬車に積み込み可であり、不一致のときは積み込み不可となる。不一致は読み込まれた現品貼付票５の管理コード７に対応する手持ち伝票の管理コードが無い場合（廃家電余剰：２又は３番券不足）と、品目不一致の場合である。いずれの不一致のときも、運搬作業者は回収不可の廃家電に「券なし」、「品目違い」といった理由を記載して回収店舗に戻す。この現品照合により「券なし」或いは「品目違い」の廃家電のトラックへの荷積みが防止される。運搬作業者は回収不可品の品目、個数、理由を回収店舗に伝えて修正、是正を依頼する。
【００２７】
前記余剰照合は、照合一致の現品を運搬車に積み込んでから、運搬作業者が手持ち伝票（２又は３番券）の管理コードを携帯端末機Ｂで読み込んで、その管理コード７と、現品照合時に読み込んだ現品貼付票５の管理コード７とを照合して行う。両管理コード７が一致したときはそのまま運搬可であるが、不一致のときは運搬不可である。不一致は、読み込まれた手持ち伝票の管理コード７に対応する積み込み商品が無い場合（伝票余剰：現品不足）であるため、運搬作業者が回収店舗内の現品を確認することにより手持ち伝票のある廃家電の積み残しが防止される。回収店舗内を確認しても現品が見つからない場合は、運搬作業者が回収不可の２番又は３番券に「現品なし」の理由を記入して回収店舗の担当者に返却する。
【００２８】
（荷積み時の受領書発行）
前記受領書発行は、回収作業開始から余剰照合までの間に携帯端末機Ｂに入力されたデータ、読み込まれたデータを、携帯端末機Ｂから携帯プリンタに無線送信して、それらデータが印刷された受領書を二枚発行する。一枚はリサイクル品受領書３０（図８（ａ））、他の一枚はリサイクル品控え３１（図８（ｂ））である。照合一致が確認されたときはリサイクル品受領書３０を回収店舗に渡し、リサイクル品控え３１に回収店舗の押印をもらい、作業者が持ち帰って保管する。
【００２９】
（廃家電の荷降ろし照合）
前記のように回収されてトラックで指定引取場所まで運搬された廃家電は、荷降ろし照合される。前記荷降ろし照合は、運搬業者が指定引取場所に到着後、運搬してきた廃家電を荷降ろしする前に、手持ちリサイクル券（２、３番券）２、３を指定引取場所の担当者に渡し、廃家電に貼付されているリサイクル券の番号（下５桁）、現品のメーカーを、声を出して読上げて指定取引場所担当者に伝えて照合し、照合確認の現品をトラックから降ろして指定取引場所担当者に引き渡す。
【００３０】
（荷降ろし登録）
指定引取場所担当者は前記照合後に、先に運搬業者から預かったリサイクル券（２番券、３番券）２、３から３番券（指定引取場所控）３を預かり、２番券２に押印をしてリサイクル券（２番券：小売業者回付票のみになっている）２を運搬作業者に渡す。運搬作業者は携帯端末機Ｂに指定引取場所コード（４桁）を入力してから、前記押印済みのリサイクル券（２番券）２の管理コード７を携帯端末機Ｂで読み込んで荷降ろし登録をする。
【００３１】
（荷降ろし時の受領書の発行）
前記荷降ろし登録後に、携帯端末機Ｂに回収店舗番号、回収日、荷降日を入力し、荷降ろし時の入力データ、読み込み済みの管理コード等の各種データを携帯端末機Ｂから携帯式或いは設置式のプリンタに無線伝送し、そのプリンタで二枚のシートを発行する。一枚は処理完了受領証（回収店舗渡し分）３３（図９（ａ））、他の一枚は処理完了控え（運搬業者控え）３４（図９（ｂ））である。処理完了受領証（回収店舗渡し分）３３には運搬作業者が押印する。
【００３２】
（引取完了後のリサイクル券の返却）
荷降ろしが完了して回収店舗に戻った運搬業者は、リサイクル券中の２番券（最後に残った小売業者回付票：２）と、運搬業者が押印した前記処理完了受領証（回収店舗渡し分）３３を回収店舗に渡し、処理完了控え３４に回収店舗の受領印をもらって運搬業者の控えとして保管する。
【００３３】
（引取不可品の返却登録、返却受領証の発行）
前記荷降ろし時に引取不可の廃家電があった場合は、引取不可のリサイクル券（２番及び３番券）２、３の管理コード７を読み取って引取不可品の返却登録を行う。次に、携帯端末機Ｂに回収店舗番号、回収日を入力し、それらデータを携帯端末からプリンタに伝送して返却受領証（回収店舗返却分）３６（図１０（ａ））と、返却控え（運搬業者控え分）３７（図１０（ｂ））を発行する。返却受領証（回収店舗返却分）３６には運搬業者が押し印する。
【００３４】
（引取不可品のリサイクル券、返却受領証の返却）
前記引取不可の場合は、運搬業者は持ち帰った引取不可の前記リサイクル券（２番及び３番券）２、３を回収店舗に返却し、返却受領証（回収店舗返却分）３６を回収店舗に渡し、持ち帰った現品を引き取り不可の説明をして回収店舗に返却し、返却控え３７に回収店舗の受領印をもらって保管する。
【００３５】
（終了業務管理）
前記業務が終了したら、携帯端末機Ｂに登録されているデータを親機（コンピュータ）に送信し、リサイクル収集運搬管理ＷＥＢシステムにログインする。ログインはインターネットでリサイクル収集運搬管理ＷＥＢシステムを開き、コンピュータの画面上でユーザー名、パスワードを入力し画面上のログインボタンをクリックしてメニュー画面を表示する。このメニュー画面を操作して先に携帯端末機Ｂから送られたデータを取り込む。
【００３６】
（返却日システム登録）
前記運搬作業において、回収店舗にリサイクル券が返却されたときは、その返却日をコンピュータに登録する。
【００３７】
携帯端末機Ｂの前記操作において、入力ミス、確認ミス、管理コード７の読み込み不能、データ送信ミス等々のトラブルがあったときは、携帯端末機Ｂを操作してデータの変更、是正、削除等を行うことができる。
【産業上の利用可能性】
【００３８】
本発明は、廃家電の収集運搬管理システムであるが、廃家電以外の廃棄物、例えば、事務機器、家具といった各種廃棄物の収集運搬管理にも利用可能である。
【符号の説明】
【００３９】
１  １番券
２  ２番券
３  ３番券
４  ４番券
５  ５番券（現品貼付票）
５ｂ  エアコン室内機貼付用伝票
６  剥離紙
７  バーコード（管理コード）
７ａ  室内機用管理コード
７ｂ  室内機用管理コード
８  排出者名記入欄
９  小売業者名記入欄
１０  収集運搬業者名記入欄
１１  廃家電の品目欄
１２  製造業者名記入欄
１３  チェック欄
１４  チェック欄
３０  リサイクル品受領書
３１  リサイクル品控え
３３  処理完了受領書
３４  処理完了控え
３６  返却受領書
３７  返却控え
Ａ  家電リサイクル券
Ｂ  携帯端末機
【図１】
2011123846.tif 000004
【図２】
2011123846.tif 000005
【図３】
2011123846.tif 000006
【図４】
2011123846.tif 000007
【図５】
2011123846.tif 000008
【図６】
2011123846.tif 000009
【図７】
2011123846.tif 000010
【図８】
2011123846.tif 000011
【図９】
2011123846.tif 000012
【図１０】
2011123846.tif 000013